(57)【特許請求の範囲】
【請求項１】
ガイドレールと昇降自在に動接するガイド体を有し、前記ガイドレールが配設された経路内を昇降駆動装置により昇降する乗りかごの外面に形成されたガイドレール保全装置において、該保全装置は、前記ガイドレールに付着したスラッジや塵埃等の異物を除去する清掃体と、前記ガイドレールに潤滑油を塗油する塗油体とを有すると共に、前記乗りかごの上昇時乃至下降時には、前記塗油体乃至前記清掃体のいずれか一方が、常に前記ガイドレールに動接するように切り替わる切替部材を有することを特徴とするガイドレール保全装置。
【請求項２】
塗油体が乗りかごの上昇時に、清掃体が前記乗りかごの下降時に、各々ガイドレールに動接することを特徴とする請求項１に記載のガイドレール保全装置。
【請求項３】
ガイドレール保全装置には、軸体及び該軸体を回動中心とする切替部材が設けられていて、該切替部材の一方には塗油体が形成され、前記切替部材の他方には前記塗油体に対して回動角度をおいて清掃体が形成されていると共に、前記塗油体及び前記清掃体の所定以上の回動を阻止するストッパー体を形成したことを特徴とする請求項１又は２に記載のガイドレール保全装置。
【請求項４】
ガイドレール保全装置には、塗油体と清掃体とを切替える為の回動促進手段を設けたことを特徴とする請求項３に記載のガイドレール保全装置。
【請求項５】
塗油体として、不織布と基部とからなり、前記不織布と前記基部との間に空隙部が形成された二重構造体が使用されてあることを特徴とする請求項１〜４のいずれか１項に記載のガイドレール保全装置。
【発明の詳細な説明】
【技術分野】
【０００１】
本発明は、エレベータ等の乗りかごの昇降を案内するガイドレールの保全装置に関するものである。
【背景技術】
【０００２】
従来より、エレベータ等の乗りかごの昇降を案内するガイドレールに付着した塵埃等の異物を取り除き、昇降時に発生しやすい振動を防止する為の清掃装置が知られている（特許文献１、特許文献２）。
【０００３】
また、ガイドレールに潤滑油を塗油してスムースな昇降を得る為の潤滑装置が知られている（特許文献３）。
【先行技術文献】
【特許文献】
【０００４】
【特許文献１】特開平９−３０１６５３号公報
【特許文献２】特許２６５１０８７号公報
【特許文献３】特許３３６１４６９号公報
【発明の概要】
【発明が解決しようとする課題】
【０００５】
したがって、特許文献１又は特許文献２のガイドレール清掃装置と、特許文献３のガイドレール潤滑装置とを組み合わせれば、ガイドレールの清掃と、潤滑油の塗油とが可能となる。
しかしながら、上記清掃装置及び潤滑装置は、エレベータ等の乗りかごの上部又は下部に設置されるものであり、２つの装置が設置されることにより、設置コストが高くなると共に、メンテナンスも容易ではなくなることが考えられた。
【０００６】
本発明は、上記従来の課題を解決するもので、ガイドレールの清掃装置と潤滑装置の両方の機能を備えることによって、設置コストを低減させると共に、メンテナンスも容易になるガイドレール保全装置を提供することを目的としている。
【課題を解決するための手段】
【０００７】
上記従来の課題を解決する為に、請求項１のガイドレール保全装置の発明は、ガイドレールと昇降自在に動接するガイド体を有し、前記ガイドレールが配設された経路内を昇降駆動装置により昇降する乗りかごの外面に形成されたガイドレール保全装置において、該保全装置は、前記ガイドレールに付着したスラッジや塵埃等の異物を除去する清掃体と、前記ガイドレールに潤滑油を塗油する塗油体とを有すると共に、前記乗りかごの上昇時乃至下降時には、前記塗油体乃至前記清掃体のいずれか一方が、常に前記ガイドレールに動接するように切り替わる切替部材を有することを特徴としている。したがって、乗りかごの上昇時乃至下降時に、ガイドレールの清掃と、ガイドレールへの潤滑油の塗油が、同時に行なわれるのではなく、各々別々に行なわれるので、乗りかごのスムースな昇降を行なうことができ、乗りかごの軽量化、組み立て性の改善にも役立つものである。また、メンテナンス時に清掃体と塗油体とを交換する作業を同時に行なうことができ、効率的である。また、清掃体と塗油体とが同時にガイドレールに動接していないので、ガイドレールに潤滑油が塗油された直後に清掃体によって除油されることを防ぐことができる。
【０００８】
請求項２の発明は、請求項１の発明において、塗油体が乗りかごの上昇時に、清掃体が前記乗りかごの下降時に、各々ガイドレールに動接することを特徴としている。したがって、ガイドレールに万遍なく、潤滑油を塗油することができると共に、ガイドレールに付着した塵埃等の清掃作業も効率的に行なうことができる。
【０００９】
請求項３の発明は、請求項１又は２の発明において、ガイドレール保全装置には、軸体及び該軸体を回動中心とする切替部材が設けられていて、該切替部材の一方には塗油体が形成され、前記切替部材の他方には前記塗油体に対して回動角度をおいて清掃体が形成されていると共に、前記塗油体及び前記清掃体の所定以上の回動を阻止するストッパー体を形成したことを特徴としている。したがって、軸体の回動によって、スムースに清掃体と塗油体とを切替えることができる。
【００１０】
請求項４の発明は、請求項３の発明において、ガイドレール保全装置には、塗油体と清掃体とを切替える為の回動促進手段を設けたことを特徴としている。したがって、回動促進手段によって、清掃体と塗油体との切り替え不良を防止することができる。
【００１１】
請求項５の発明は、請求項１〜４のいずれかの発明において、塗油体として、不織布と基部とからなり、前記不織布と前記基部との間に空隙部が形成された二重構造体が使用されてあることを特徴としている。したがって、空隙部に潤滑油を保油することができることから、ガイドレールに適切な量の潤滑油を供給することができる。
【発明の効果】
【００１２】
請求項１の発明では、乗りかごのスムースな昇降を行なうことができ、乗りかごの軽量化と、組み立て性の改善を行なうことができる。また、請求項２の発明では、ガイドレールに万遍なく、潤滑油を塗油することができると共に、ガイドレールに付着した塵埃等の清掃作業も効率的に行なうことができる。また、請求項３の発明では、清掃体と塗油体とをスムースに切替えることができる。また、請求項４の発明では、回動促進手段によって、清掃体と塗油体との切り替え不良を防止することができる。さらに、請求項５の発明では、ガイドレールに適切な量の潤滑油を供給することができる。
【図面の簡単な説明】
【００１３】
【図１】本発明に係るガイドレール保全装置が設置されたエレベータの構造を示す斜視図である。
【図２】本発明に係るガイドレール保全装置とガイド体との位置関係を示す斜視図である。
【図３】本発明に係るガイドレール保全装置の内部構造を示す断面図である。
【図４】図３のＡ−Ａ矢印方向からみた断面図である。
【図５】本発明に係るガイドレール保全装置の一部を示す斜視図である。
【図６】本発明に係るガイドレール保全装置の切替動作を示す説明図である。
【図７】回動促進手段の他の実施例を示す説明図である。
【図８】回動促進手段の他の実施例を示す説明図である。
【図９】塗油体の他の実施例を示す説明図である。
【図１０】塗油体の他の実施例を示す説明図である。
【図１１】清掃体の他の実施例を示す説明図である。
【発明を実施するための形態】
【００１４】
図１は、本発明に係るガイドレール保全装置が設置されたエレベータの構造を示す斜視図である。この図に示すように、エレベータの乗りかご２０は、建物内に対向して立設された略Ｔ字状のガイドレール１、１の軌道上を上下動するものであり、駆動電動機２と、巻き上げローラ３と、巻き上げロープ４と、釣合錘５と、釣合錘５を案内する釣合錘用ガイドレール６とからなる昇降駆動装置７によって、昇降駆動される。ここで、乗りかご２０のガイドレール１、１との接触する位置の上下左右４箇所にはガイド体８が設置されている。そして、乗りかご２０の上面のガイドレール１、１との接触が可能な位置に本発明に係るガイドレール保全装置９、９が設置されている。
【００１５】
次に、図１を用いて乗りかご２０の昇降動作を説明する。乗りかご２０の上面は、巻き上げロープ４の一端と連結されており、この巻き上げロープを巻き上げローラ３により巻き上げ又は巻き下げることによって、乗りかご２０の上下動がなされる。巻き上げローラ３の回転又は逆回転は、巻き上げローラ３と回転軸が連結している駆動電動機２の回転によってなされる。駆動電動機２の制御は、各階に設置された操作体からの指令によって、乗りかご２０を所望の階に移動させるための制御体（図示せず）によってなされる。
【００１６】
図２は、本発明に係るガイドレール保全装置９とガイド体８との位置関係を示す斜視図である。乗りかご２０の上下左右４箇所に設置されたガイド体８は、ガイドレール１の摺動面１ａと摺接する略Ｕ字状の嵌合部８ａを有している。そして、乗りかご２０の上面２箇所に固定されたガイドレール保全装置９は、ガイド体８の上方であって、ガイドレール１と接触が可能な位置に設置されている。尚、ガイドレール保全装置９を、ガイド体８の下方であって、ガイドレール１と接触が可能な位置に設置することもできる。
【００１７】
図３は、本発明に係るガイドレール保全装置９の内部構造を示す断面図である。ガイドレール保全装置９は、本体ケース９ａ内に、軸体１０と、この軸体１０によって回転可能な切替部材１１とを有している。切替部材１１は、ガイドレール１との接触面を２箇所に有しており、一方の接触面には塗油体１２が設置されており、他方の接触面には清掃体１３が設置されている。
【００１８】
ガイドレール保全装置９の本体ケース９ａには、潤滑油１５が供給される給油タンク１４と、切替部材１１の所定以上の回動を阻止するストッパー体１６が設けられている。そして、塗油体１２からは給油部材１９が給油タンク１４まで延びており、毛細管現象によって、潤滑油１５を塗油体１２に供給している。また、切替部材１１の塗油体１２と清掃体１３との中間位置には回動促進手段１７が設けられている。この回動促進手段１７は、塗油体１２と清掃体１３とを切り替えるための部材であり、ゴム等の可撓性を有する材質で形成されたものである。
【００１９】
図４は、図３のＡ−Ａ矢印方向からみた断面図である。この図に示すように、ガイドレール保全装置９の本体ケース９ａは、断面コ字状に形成されており、その下方は、前述したとおり、給油タンク１４を形成し、この給油タンク１４内は潤滑油１５で満たされている。そして、本体ケース９ａの空間部分に切替部材１１が挿入され、本体ケース９ａに掛け渡された軸体１０によって切替部材１１は回動可能となっている。ガイドレール１の摺動面１ａは、本体ケース９ａの空間部分に挿入されて、切替部材１１に設置された断面コ字状の塗油体１２と接触している。また、塗油体１２は、給油部材１９の一方の端部と接触しており、給油部材１９の他方の端部が潤滑油１５内に浸かっていることから、毛細管現象によって、潤滑油１５は断面コ字状の塗油体１２に供給され、この塗油体１２と接触しているガイドレール１の摺動面１ａは、潤滑油１５が塗油されることとなるのである。尚、ガイドレール保全装置９を、ガイド体８の下方であって、ガイドレール１と接触が可能な位置に設置する場合には、清掃体１３と塗油体１２とを上述した場合とは逆になるように設置することで、乗りかご２０の上昇時にガイド体８から出た塵埃を清掃し、乗りかご２０の下降時には、ガイド体８がガイドレール１を通過する前に潤滑油を塗油することができる。さらに、ガイドレール保全装置を、乗りかご２０の下部に設置されたガイド体８の上方又は下方であって、ガイドレール１と接触が可能な位置に設置することも可能である。この場合も、ガイド体８の上方に設置した場合と、下方に設置した場合とで、清掃体１３と塗油体１２との位置を逆にすればよい。
【００２０】
図５は、本発明に係るガイドレール保全装置の一部を示す斜視図である。この図に示すように切替部材１１は、ガイドレール１との接触面を２箇所に有しており、一方の接触面には塗油体１２が設置されており、他方の接触面には清掃体１３が設置されている。ここで、塗油体１２と清掃体１３は、メンテナンス時に切替部材１１から着脱自在となっている。また、切替部材１１の中央部には軸体１０が固着されており、軸体１０近傍の切替部材１１からゴム等の可撓性を有する材質で形成された回動促進手段１７が外方に突き出している。尚、回動促進手段１７と、給油部材１９とは、必ずしも切替部材１１内部に設ける必要はなく、ガイドレール保全装置９の他の位置に設置することも可能である。
【００２１】
図６は、本発明に係るガイドレール保全装置の切替動作を示す説明図である。先ず、図６（ａ）に示すように、乗りかご２０の上昇時には、塗油体１２がガイドレール１の摺動面１ａに摺接した状態を維持している。この状態では、回動促進手段１７は、ガイドレール１とは接触していない。また、清掃体１３と切替部材１１の一部は、ストッパー体１６と接触している。次に、図６（ｂ）に示すように、乗りかご２０が上昇から下降に切り替わる時には、切替部材１１が図面上時計回りに回転する。この時、回動促進手段１７は、ガイドレール１の摺動面１ａと接触して変形した状態となっている。そして、図６（ｃ）に示すように、乗りかご２０の下降時には、清掃体１３がガイドレール１の摺動面１ａに摺接した状態を維持している。この状態では、回動促進手段１７は、ガイドレール１とは接触していない。また、塗油体１２と切替部材１１の一部は、ストッパー体１６と接触している。尚、乗りかご２０が下降から上昇に切り替わる時には、図６（ｃ）の状態から、切替部材１１が図面上反時計回りに回転し、図６（ｂ）と同じ状態となる。また、切替部材１１は、ストッパー体１６によって、回動が規制されるため、図６（ｃ）の角度θの範囲で回動するようになっている。
【００２２】
図７は、回動促進手段の他の実施例を示す説明図である。図７（ａ）に示す回動促進手段１７ａは、切替部材１１に埋め込まれたバネ１８と連結している。このような構成とすることによって、図６（ｂ）で説明した状態の時に、回動促進手段１７ａをガイドレール１に接触させた状態で切替部材１１内に押込めることができるため、ガイドレール１との摩耗を防止することができる。また、図７（ｂ）に示す回動促進手段１７ｂのように、ガイドレール１の基部上面１ｂに接触するように長くすることも可能である。前記の如く構成することにより、回動促進手段１７ｂを潤滑油の付着していない基部上面１ｂに接触させることができ、滑りを防止できる。
【００２３】
図８は、図７（ｂ）に示した回動促進手段１７ｂを説明するために、ガイドレール保全装置を上方から見た断面図である。２本の回動促進手段１７ｂは、切替部材１１から延びており、この２本の回動促進手段１７ｂは、乗りかご２０が上昇から下降に切り替わる時又は下降から上昇に切り替わる時に、ガイドレール１の基部上面１ｂと接触することとなる。
【００２４】
図９は、塗油体の他の実施例を示す説明図である。この図に示す塗油体１２ａは上方からみた場合にコ字状となっており、角部にはスリット２２が形成されている。また、上下方向に、ガイドレール１と接触する凸面１２１ａと、ガイドレール１と接触しない凹面１２２ａとが交互に複数形成された形状となっている。塗油体１２ａをこのような形状とすることによって、塗油体１２ａに潤滑油が十分保持されると共に、ガイドレールへの塗油も容易となる。また、上昇及び下降時に凸面１２１ａがガイドレール１にたいして撓む事により、ガイドレール１に油が十分供給されると共に、凹面１２２ａが形成されてある為、塗油体１２ａに侵入したゴミ等を凹面１２２ａに入れ込む事ができる。その為、長期間にわたる安定的かつ連続的な塗油が可能となる。また、ガイドレール１に接触しない塗油体１２ａを構成する概コの字状部材は、安価な他の材質での代用が可能であり、塗油体１２ａのコストを低減できる。さらにまた、スリット２２があるためガイドレール１にたいする塗油体１２ａの接触時の追従性が向上し、安定して塗油できる。
【００２５】
図１０は、塗油体の他の実施例を示す説明図である。この図に示す塗油体１２ｂは上方からみた場合にコ字状となっており、角部にはスリット２３が形成されている。また、上下方向に、ガイドレール１と接触する凸面１２１ｂと、ガイドレール１と接触しない凹面１２２ｂとが交互に複数形成された形状となっている。さらに、前後左右方向にも、ガイドレール１と接触する凸面１２１ｂ、１２２ｃと、ガイドレール１と接触しない凹面１２２ｂ、１２１ｃとが交互に複数形成された形状となっている。塗油体１２ｂをこのような形状とすることによって、塗油体１２ｂに潤滑油が十分保持されると共に、ガイドレール１への塗油も容易となる。また、塗油体１２ｂを構成するすべての概コの字状部材をガイドレール１に接触させることができる為、高い塗油性を維持できる。
【００２６】
ここで、塗油体として、不織布と基部とからなり、この不織布と基部との間に空隙部が形成された二重構造体を使用することができる。このように構成することによって、空隙部に潤滑油を保油することができることから、ガイドレールに適切な量の潤滑油を供給することができる。
【００２７】
また、塗油体に使用する不織布の主成分は、ポリアミド繊維、ポリエステル、ポリエチレン繊維、ポリプロピレン繊維、ウレタンゴム繊維のいずれか１種類または複数からなり、塗油体に使用する基部は、微細な気泡を有する多孔質化されたポリウレタンが好ましい。
【００２８】
また、塗油体は、主成分及び副成分を混合紡糸して繊維にしたものを立体的に編込み、ウレタンを形成させ、その後、副成分を溶解除去させることにより製造される。尚、塗油体は、不織布と基部とからなり、この不織布と基部との間に空隙部が形成された二重構造体が形成されてあり、且つ未反応モノマーが形成されていないポリウレタンの基部が形成可能であれば、その製造方法は特に問わない。
【００２９】
塗油体を上記構成とすることによって、耐久性が極めて高く、且つ弾性劣化、変色、黄変化等がほとんど発生することが無い。また、ポリウレタンの基部は、高い耐摩耗性を有するので、耐久性に優れた塗油体を製造することができる。また、基部は、極微細な気泡を有している為、塗油体の重量を軽くすることができると共に、塗油体に加えられた衝撃を吸収することができる。したがって、ガイドレール面にたいして、柔軟に接触させることができ、ガイドレール面に傷を付けることが無い。
【００３０】
また、不織布として、ナイロンに代表されるポリアミド繊維を使用した場合には、ポリアミド繊維の有する耐摩耗性、耐熱性、及び弱酸から強アルカリにおける耐薬品性の高さ、耐油性等の特性を塗油体に持たせることができる。また、ポリエステルを使用した場合には、ポリエステルの有する耐熱性、及び強酸から弱アルカリにおける耐薬品性の高さ、耐油性、価格の低さ等の特性を塗油体に持たせることができる。また、ポリエチレン繊維を使用した場合には、ポリエチレン繊維の有する酸、及びアルカリにおける耐薬品性の高さ、価格の低さ等の特性を塗油体５は有することができる。また、ポリプロピレン繊維を使用した場合には、ポリプロピレン繊維の有する価格の低さ、軽量である等の特性を塗油体に持たせることができる。また、別名ウレタン弾性糸とも呼ばれるウレタンゴム繊維を使用した場合には、ウレタンゴム繊維の有する親油性の高さ、弾性の高さ等の特性を塗油体に持たせることができる。
【００３１】
図１１は、清掃体の他の実施例を示す説明図である。この図に示す清掃体１３ａは、基部１３１ａとブラシ部１３２ａとからなる起毛布１３０を４段に連結して上方からみた場合にコ字状となるように形成された形状となっている。このように構成することによって、清掃体１３ａの製作が容易となり、清掃体１３ａの交換時のメンテナンスコストを低減させることができる。
【００３２】
尚、本発明の趣旨を逸脱しない範囲で様々な実施形態を採ることができることは言うまでもない。例えば、上述した乗りかご２０は、地面と垂直方向に上下動するものであるが、斜め方向や、螺旋方向に上下動する乗りかご２０にたいしても本発明に係るガイドレール保全装置９を適用することは可能である。また、上述した切替部材１１の回動は、ガイドレール１との摩擦を動力源としているが、モーターを動力源として切替部材１１を回動させることもできるものである。
【産業上の利用可能性】
【００３３】
本発明のガイドレール保全装置は、エレベータ等の乗りかごの昇降を案内すると共に、ガイドレールの清掃及び塗油を行なう装置として好適に使用される。
【符号の説明】
【００３４】
１  ガイドレール
１ａ  摺動面
２  駆動電動機
３  巻き上げローラ
４  巻き上げロープ
５  釣合錘
６  釣合錘用ガイドレール
７  昇降駆動装置
８  ガイド体
８ａ  嵌合部
９  ガイドレール保全装置
９ａ  本体ケース
１０  軸体
１１  切替部材
１２  塗油体
１３  清掃体
１４  給油タンク
１５  潤滑油
１６  ストッパー体
１７  回動促進手段
１８  バネ
１９  給油部材
２０  乗りかご
２２、２３  スリット
【図１】
0005382930.tif 000002
【図２】
0005382930.tif 000003
【図３】
0005382930.tif 000004
【図４】
0005382930.tif 000005
【図５】
0005382930.tif 000006
【図６】
0005382930.tif 000007
【図７】
0005382930.tif 000008
【図８】
0005382930.tif 000009
【図９】
0005382930.tif 000010
【図１０】
0005382930.tif 000011
【図１１】
0005382930.tif 000012